(57)【要約】【課題】部品点数および製造コストを増大させることなく、車両の操縦安定性の維持と異音の発生の抑制とを両立させることができるスタビライザブッシュを提供する。【解決手段】スタビライザブッシュ１は、筒状本体部１１と、一対の第一軸状凸部１２１、１２２とを備える。筒状本体部１１は、筒状のゴム弾性体からなり、内径がスタビライザバー２の外径より大きく形成され、スタビライザバー２を挿通し、且つ、ブラケット３により外周面を押圧されて車両ボディ５に固定される。第一軸状凸部１２１、１２２は、筒状本体部１１に一体成形されるゴム弾性体からなり、筒状本体部１１の内周面のうち車両上下端から径方向内方へ向かって突出し、筒状本体部１１の軸方向に延在するように形成され、且つ、径方向内方端面がスタビライザバー２の外周面に当接してスタビライザバー２を保持する。【選択図】図５
2008213728.tif 000002
【特許請求の範囲】
【請求項１】
筒状のゴム弾性体からなり、内径がスタビライザバーの外径より大きく形成され、前記スタビライザバーを挿通し、且つ、締結部材により外周面を押圧されて車両ボディに固定される筒状本体部と、
前記筒状本体部に一体成形されるゴム弾性体からなり、前記筒状本体部の内周面のうち車両上下端から径方向内方へ向かって突出し、前記筒状本体部の軸方向に延在するように形成され、且つ、径方向内方端面が前記スタビライザバーの外周面に当接して前記スタビライザバーを保持する一対の第一軸状凸部と、
を備えることを特徴とするスタビライザブッシュ。
【請求項２】
前記筒状本体部の内周面の車両上端と前記筒状本体部の外周面の車両上端との間、および、前記筒状本体部の内周面の車両下端と前記筒状本体部の外周面の車両下端との間に、それぞれ離隔して配置され、前記筒状本体部の軸方向へ延在するように前記筒状本体部の内部にインサート成形される一対の補強板を備える請求項１に記載のスタビライザブッシュ。
【請求項３】
前記スタビライザバーの捩れ軸を通り車両上下方向および前記捩れ軸方向に平行な平面を第一平面と定義し、
車両上側の前記第一軸状凸部の周方向端部と前記スタビライザバーの捩れ軸とを通る平面を第二平面と定義し、
車両上側の前記補強板の周方向端部と前記スタビライザバーの捩れ軸とを通る平面を第三平面と定義し、
前記第三平面と前記第一平面とのなす鋭角は、前記第二平面と前記第一平面とのなす鋭角以上であり、４５度以下である請求項２に記載のスタビライザブッシュ。
【請求項４】
前記スタビライザバーの捩れ軸を通り車両上下方向および前記捩れ軸方向に平行な平面を第一平面と定義し、
車両下側の前記第一軸状凸部の周方向端部と前記スタビライザバーの捩れ軸とを通る平面を第四平面と定義し、
車両下側の前記補強板の周方向端部と前記スタビライザバーの捩れ軸とを通る平面を第五平面と定義し、
前記第五平面と前記第一平面とのなす鋭角は、前記第四平面と前記第一平面とのなす鋭角以上であり、４５度以下である請求項２または３の何れか一項に記載のスタビライザブッシュ。
【請求項５】
前記スタビライザバーの捩れ軸を通り車両上下方向および前記捩れ軸方向に平行な平面を第一平面と定義し、
車両上側の前記第一軸状凸部の周方向端部と前記スタビライザバーの捩れ軸とを通る平面を第二平面と定義し、
前記第二平面と前記第一平面とのなす鋭角は、車両の最大ロール角に対応する角度である請求項１〜４の何れか一項に記載のスタビライザブッシュ。
【請求項６】
前記スタビライザバーの捩れ軸を通り車両上下方向および前記捩れ軸方向に平行な平面を第一平面と定義し、
車両下側の前記第一軸状凸部の周方向端部と前記スタビライザバーの捩れ軸とを通る平面を第四平面と定義し、
前記第四平面と前記第一平面とのなす鋭角は、車両の最大ロール角に対応する角度である請求項１〜５の何れか一項に記載のスタビライザブッシュ。
【請求項７】
前記筒状本体部に一体成形されるゴム弾性体からなり、前記筒状本体部の内周面のうち開口端よりも軸方向中央側において周方向全周に亘って径方向内方へ向かって突出しており、内周面を径方向に切断した断面が前記スタビライザバーの外径以下の内径からなる円形に形成される第一周状凸部を備える請求項１〜６の何れか一項に記載のスタビライザブッシュ。
【請求項８】
前記第一周状凸部は、前記筒状本体部の軸方向に複数形成される請求項７に記載のスタビライザブッシュ。
【請求項９】
前記筒状本体部に一体成形されるゴム弾性体からなり、前記筒状本体部の内周面のうち前記第一軸状凸部に対して周方向にずれた位置から径方向内方へ向かって突出し、前記筒状本体部の軸方向に延在するように形成され、且つ、径方向内方端面が前記スタビライザバーの外周面に当接して前記スタビライザバーを保持する第二軸状凸部を備える請求項１〜６の何れか一項に記載のスタビライザブッシュ。
【請求項１０】
前記第二軸状凸部は、前記筒状本体部の内周面のうち一対の前記第一軸状凸部の間のそれぞれの面に形成される請求項９に記載のスタビライザブッシュ。
【請求項１１】
前記筒状本体部に一体成形されるゴム弾性体からなり、前記筒状本体部の内周面のうち両側の開口端において周方向全周に亘って径方向内方へ向かって突出し、且つ、内周面を径方向に切断した断面が前記スタビライザバーの外径より小さい内径からなる円形に形成される第二周状凸部を備える請求項１〜１０の何れか一項に記載のスタビライザブッシュ。
【請求項１２】
前記第二周状凸部は、内径が前記筒状本体部の軸方向外方に向かって徐々に縮径するように形成される請求項１１に記載のスタビライザブッシュ。
【発明の詳細な説明】
【技術分野】
【０００１】
本発明は、スタビライザブッシュに関するものである。
【背景技術】
【０００２】
スタビライザブッシュは、自動車等の車両において、操縦安定性や乗り心地等を向上させるために用いられている。一般に、スタビライザブッシュは、車両左右両側のサスペンションアームを連結するスタビライザバーを車両ボディに弾性支持せしめるものである。通常、スタビライザブッシュは、筒状のゴム弾性体にて構成され、その内周にスタビライザバーが挿通される一方、その外周面が適当な締結部材によって車両ボディに取り付けられるようになっている。
【０００３】
ところで、かかるスタビライザブッシュは、スタビライザバーを挿通した状態において、スタビライザバーの捩り（軸心回りの回転）が生じた際、スタビライザブッシュの内周面とスタビライザバーの外周面との間の摺動抵抗が大きいと、異音が発生するなどといった不具合のおそれがある。
【０００４】
そこで、例えば、特開平４−３１６７３０号公報（特許文献１）に記載されたスタビライザブッシュでは、その内周面に合成繊維からなる筒状ライナーが接合されている。これにより、スタビライザブッシュとスタビライザバーとの摺動性が向上し、異音発生が抑えられると考えられる。
【０００５】
一方、スタビライザバーには、車両の旋回時等にロール（車両前後方向を軸とする回転）が発生する。これにより、スタビライザバーを挿通した状態において、スタビライザブッシュには、およそ車両上下方向の力が加えられる。このとき、スタビライザブッシュが、当該車両上下方向の力に対する十分な反力（アンチロール力）を有していないと、車両の操縦安定性は損なわれることになる。
【０００６】
そこで、例えば、特開平１１−２９１７３６号公報（特許文献２）に記載されたスタビライザブッシュでは、車両ボディへの組付け時に車両上下方向を圧縮し、当該車両上下方向の接触面圧を高くしている。これにより、スタビライザブッシュのアンチロール力が高まり、車両の操縦安定性を向上させている。
【特許文献１】特開平４−３１６７３０号公報
【特許文献２】特開平１１−２９１７３６号公報
【発明の開示】
【発明が解決しようとする課題】
【０００７】
しかしながら、特許文献１に記載のスタビライザブッシュでは、その内周面に、起毛したナイロン等の合成繊維を筒状に編んだ筒状ライナーを接合しなければならない。このスタビライザブッシュでは、摺動性を向上させるために、ゴム弾性体とは別部材のものを新たに製造し、且つ、内周面に接合させる必要がある。つまり、部品点数および部品等の製造コストの面で問題がある。
【０００８】
また、特許文献２に記載のスタビライザブッシュでは、その内周面がスタビライザバーの全周に亘って面圧を付加している。つまり、このスタビライザブッシュでは、内周面のすべてがスタビライザバーと接触している。これにより、必然的に、当該内周面の全体においてスタビライザバーとの摺動抵抗が発生することになり、摺動性の向上には限界がある。
【０００９】
本発明は、このような事情に鑑みてなされたものであり、部品点数および製造コストを増大させることなく、車両の操縦安定性の維持と異音の発生の抑制とを両立させることができるスタビライザブッシュを提供することを目的とする。
【課題を解決するための手段】
【００１０】
本発明のスタビライザブッシュは、筒状本体部と、一対の第一軸状凸部とを備える。筒状本体部は、筒状のゴム弾性体からなり、内径がスタビライザバーの外径より大きく形成され、スタビライザバーを挿通し、且つ、締結部材により外周面を押圧されて車両ボディに固定される。一対の第一軸状凸部は、筒状本体部に一体成形されるゴム弾性体からなり、筒状本体部の内周面のうち車両上下端から径方向内方へ向かって突出し、筒状本体部の軸方向に延在するように形成され、且つ、径方向内方端面がスタビライザバーの外周面に当接してスタビライザバーを保持する。なお、径方向とは、筒状本体部の径方向を意味する。
【００１１】
スタビライザバーは、例えば、鋼の棒材からなる。そして、スタビライザバーは、車両左右方向に延びる軸状部と、軸状部の両端からそれぞれ車両左右の車輪に向けて延びる連結部とを備える。一般に、連結部とサスペンションアームとが連結し、スタビライザブッシュは、軸状部の両端側にそれぞれ配置される。
【００１２】
ここで、筒状本体部は、内径がスタビライザバーの外径より大きく形成される。従って、筒状本体部の内周面とスタビライザバーとは、挿通状態下において、直接接触しない。そして、当該内周面の車両上端および車両下端にそれぞれ一体成形される第一軸状凸部が、スタビライザバーに当接し、当該スタビライザバーを保持する。つまり、スタビライザバーは、スタビライザブッシュに挿通された状態において、車両上下方向にある一対の第一軸状凸部に当接し保持される。この第一軸状凸部は、それぞれ筒状本体部の軸方向に延在するように形成される。つまり、車両上下方向には高いばね定数を得ることになる。
【００１３】
これにより、本発明のスタビライザブッシュは、ロールによる車両上下方向の力に対して十分な反力（すなわち、アンチロール力）を得ることができる。さらに、スタビライザブッシュとスタビライザバーとは、一対の第一軸状凸部とスタビライザバーとが接触しており、少なくとも一対の第一軸状凸部の周方向隣接部位においては非接触となる。このため、当該接触の面積は、従来のようにスタビライザブッシュの内周面すべてが接触するのに比べて、減少する。従って、スタビライザブッシュとスタビライザバーとの摺動抵抗は減少し、当該摺動性を向上させることができる。その結果、異音の発生を抑制することができる。
【００１４】
すなわち、本発明のスタビライザブッシュは、車両の操縦安定性を維持しつつ、異音の発生を抑えることができる。また、本発明では、ライナー等を用いることなく、上記効果を得ることができるため、部品点数および製造コストの増大を抑えることができる。
【００１５】
ここで、本発明のスタビライザブッシュにおいて、さらに、筒状本体部の内周面の車両上端と筒状本体部の外周面の車両上端との間、および、筒状本体部の内周面の車両下端と筒状本体部の外周面の車両下端との間に、それぞれ離隔して配置され、筒状本体部の軸方向へ延在するように筒状本体部の内部にインサート成形される一対の補強板を備えてもよい。
【００１６】
補強板は、筒状本体部よりも大きいばね定数（剛性）を有するものであり、例えば、金属または樹脂等からなる。これにより、車両上下方向におけるばね定数は大きくなり、スタビライザブッシュの車両上下にかかるアンチロール力はさらに大きくなる。すなわち、操縦安定性はさらに向上する。
【００１７】
そして、車両上側の補強板と、車両上側の第一軸状凸部との位置関係について説明する。ここで、スタビライザバーの捩れ軸を通り車両上下方向および捩れ軸方向に平行な平面を第一平面と定義する。また、車両上側の第一軸状凸部の周方向端部とスタビライザバーの捩れ軸とを通る平面を第二平面と定義する。また、車両上側の補強板の周方向端部とスタビライザバーの捩れ軸とを通る平面を第三平面と定義する。
【００１８】
スタビライザバーの捩れ軸とは、捩り（回転）に対する回転軸を意味する。すなわち、スタビライザバーの捩れ軸は、スタビライザバーの軸状部の中心軸に相当する。捩れ軸方向とは、捩れ軸が延びる方向である。また、第一軸状凸部の周方向端部とは、スタビライザバーの軸方向（車両左右側）から見た場合に、スタビライザバーの周方向における第一軸状凸部の端部である。また、補強板の周方向端部とは、スタビライザバーの軸方向から見た場合に、スタビライザバーの周方向における補強板の端部である。つまり、周方向端部とは、捩れ軸を中心とした周方向の端部である。
【００１９】
そして、本発明において、第三平面と第一平面とのなす鋭角は、第二平面と第一平面とのなす鋭角以上であり、４５度以下であることが好ましい。
【００２０】
第三平面と第一平面とのなす鋭角を第二平面と第一平面とのなす鋭角以上とすることにより、車両上側の第一軸状凸部とスタビライザバーとの接触面積を増加させることなく、車両上側の第一軸状凸部にかかるばね定数を確実に大きくすることができる。また、第三平面と第一平面とのなす鋭角を４５度以下とすることにより、車両前後方向のばね定数に対する車両上方のばね定数の比を大きくすることができる。従って、車両上側の補強板により、車両前後方向のばね定数を大きくすることなく、車両上方のばね定数を大きくできる。従って、摺動性を損なうことなく、スタビライザブッシュの車両上方のばね定数を確実に大きくすることができる。
【００２１】
そして、車両下側の補強板と、車両下側の第一軸状凸部との位置関係について説明する。ここで、車両下側の第一軸状凸部の周方向端部とスタビライザバーの捩れ軸とを通る平面を第四平面と定義し、車両下側の補強板の周方向端部とスタビライザバーの捩れ軸とを通る平面を第五平面と定義する。そして、本発明において、第五平面と第一平面とのなす鋭角は、第四平面と第一平面とのなす鋭角以上であり、４５度以下であることが好ましい。これにより、車両前後方向のばね定数に対する車両下方のばね定数の比を大きくすることができる。従って、車両下側の補強板により、車両前後方向のばね定数を大きくすることなく、車両下方のばね定数を大きくできる。また、スタビライザブッシュにおける摺動性も損なうことはない。
【００２２】
次に、車両上側の第一軸状凸部自体の角度について説明する。すなわち、本発明において、第二平面と第一平面とのなす鋭角は、車両の最大ロール角に応じた角度であることが好ましい。つまり、第一軸状凸部は、車両の最大ロール角に応じた角度範囲に形成されることが好ましい。ロール角とは、車両が旋回したときに車両ボディが傾く角度である。そして、最大ロール角は、スタビライザやサスペンション等により車両毎に設定されるロール角の最大値のことである。車両が旋回する際、スタビライザバーの両端部分は、それぞれ車両上下方向からずれた方向に力が加わる。これは、車両上下方向からロール角分ずれた方向への力である。
【００２３】
ここで、第二平面と第一平面とのなす鋭角を最大ロール角に対応（例えば、等しく）させることにより、たとえ車両が最大ロール角となった場合であっても、第一軸状凸部が確実に当該力に対抗することができる。すなわち、本発明は、ロール時においても、アンチロール力を損なわせることなく、操縦安定性をより確実に確保することができる。
【００２４】
また、車両下側の第一軸状凸部自体の角度について説明する。すなわち、第四平面と第一平面とのなす鋭角は、車両の最大ロール角に対応する角度であることが好ましい。これにより、たとえ車両が最大ロール角となった場合であっても、アンチロール力を損なわせることがなく、操縦安定性の確保はより確実になる。
【００２５】
ここで、本発明のスタビライザブッシュは、さらに第一周状凸部を備えることが好ましい。第一周状凸部は、筒状本体部に一体成形されるゴム弾性体からなり、筒状本体部の内周面のうち開口端よりも軸方向中央側において周方向全周に亘って径方向内方へ向かって突出しており、内周面を径方向に切断した断面がスタビライザバーの外径以下の内径からなる円形に形成される。
【００２６】
この第一周状凸部は、径方向に切断した断面（以下、径方向断面とも称する）がリング状のゴム弾性体であり、筒状本体部の内周面に一体成形される。第一周状凸部の内径は、スタビライザバーの外径以下である。つまり、スタビライザバーは、スタビライザブッシュに挿通された状態において、第一周状凸部の内周面全周に当接する。これにより、スタビライザバーの挿通時および挿通後におけるスタビライザバーの位置決めがより確実となる。従って、車両ボディにスタビライザバーを組付けた状態および車両走行時等において、スタビライザバーは、さらに安定する。なお、第一周状凸部は、筒状本体部の軸方向において、その両端よりも中央側に位置する。
【００２７】
また、第一周状凸部は、筒状本体部の軸方向に複数形成されてもよい。例えば、第一周状凸部が軸方向に１個の場合と、２個の場合とについて説明する。ここで、１個の場合における第一周状凸部の幅と、２個の場合における２個の第一周状凸部の合計幅とは、同一とする。従って、両者の第一周状凸部による摺動抵抗は同一である。しかし、第一周状凸部が軸方向２個の場合の方が、スタビライザブッシュに対してスタビライザバーが傾斜する場合に、スタビライザバーが傾斜することを抑制する力が大きくなる。つまり、スタビライザバーの位置決め効果が大きい。このように、スタビライザバーの位置決めは、さらに確実なものとなる。
【００２８】
ここで、上述においては、スタビライザバーの位置決め効果を発揮するために、本発明のスタビライザブッシュは、第一周状凸部を備えるようにすることについて説明した。この第一周状凸部を備える場合の他に、以下のようにしてもよい。すなわち、本発明のスタビライザブッシュは、第二軸状凸部を備えてもよい。第二軸状凸部は、筒状本体部に一体成形されるゴム弾性体からなり、筒状本体部の内周面のうち第一軸状凸部に対して周方向にずれた位置から径方向内方へ向かって突出し、筒状本体部の軸方向に延在するように形成され、且つ、径方向内方端面がスタビライザバーの外周面に当接してスタビライザバーを保持する。
【００２９】
第二軸状凸部は、例えば、第一軸状凸部と同形状であって、筒状本体部の内周面における車両上側の第一軸状凸部と車両下側の第一軸状凸部との間に形成される。つまり、第一軸状凸部と第二軸状凸部とからなる軸状凸部が、周方向に少なくとも３個配置されることになる。これにより、スタビライザバーの位置決めが確実となる。つまり、第一周状凸部を備えなくとも、第一軸状凸部と第二軸状凸部によりスタビライザバーを容易に位置決めすることが可能となる。さらに、スタビライザブッシュの内部において、第一軸状凸部とそれに隣り合う第二軸状凸部との間全体に亘って軸方向に空間を形成することで、スタビライザバーとの摺動性も確保できる。
【００３０】
ここで、第二軸状凸部は、筒状本体部の内周面のうち一対の第一軸状凸部の間のそれぞれの面に形成されることが好ましい。これにより、第一軸状凸部と第二軸状凸部によって、スタビライザバーの外周をその周方向の４箇所以上の位置で保持でき、スタビライザバーの位置決めがより容易かつ確実になる。例えば、車両上下方向に対である第一軸状凸部と、車両前後方向に対になった第二軸状凸部との４箇所により、スタビライザバーの位置決めは確実なものとなる。また、第二軸状凸部を、一対の第一軸状凸部の間のそれぞれの面に２箇所以上形成する場合は、第一軸状凸部と第二軸状凸部とが合計で６箇所となる。例えば、隣り合う軸状凸部間の角度を６０度とする。これにより、よりスタビライザバーの位置決めが確実なものとなる。なお、第二軸状凸部は、車両前後方向において、面対称に形成されるとよい。
【００３１】
さらに、本発明のスタビライザブッシュは、第二周状凸部を備えることが好ましい。第二周状凸部は、筒状本体部に一体成形されるゴム弾性体からなり、筒状本体部の内周面のうち両側の開口端において周方向全周に亘って径方向内方へ向かって突出し、且つ、内周面を径方向に切断した断面がスタビライザバーの外径より小さい内径からなる円形に形成される。
【００３２】
第二周状凸部は、径方向断面がリング状のゴム弾性体からなり、その内径がスタビライザバーの外径以下であり、筒状本体部の軸方向の両端の内周面に形成される。スタビライザブッシュの両側の開口端（軸方向両端）において、第二周状凸部は、スタビライザバーに全周に亘って密接し、スタビライザバーを保持する。つまり、第二周状凸部は、車両上下方向のばね定数を高くするための補助として機能する。このことに加えて、第二周状凸部は、スタビライザブッシュの内部に砂やごみ等が侵入することを抑制するシール機能をも有する。
【００３３】
さらに、第一周状凸部を備える場合には、第二周状凸部の内径は、第一周状凸部の内径より小さくするとよい。これにより、第二周状凸部が、確実に、ばね定数を高くするための補助機能およびシール機能を発揮するようにできる。
【００３４】
ここで、第二周状凸部は、内径が筒状本体部の軸方向外方に向かって徐々に縮径するように形成されることが好ましい。軸方向外方とは、筒状本体部の軸方向において、中央から開口端に向かう方向である。つまり、筒状本体部の両側の開口端に形成される第二周状凸部のうち、一方の第二周状凸部の内径は、筒状本体部の当該一方の開口端に向けて緩やかに縮径している。
【００３５】
これにより、スタビライザブッシュを製造する際に、金型の取り外しがよりスムーズになる。つまり、スタビライザブッシュの捩れ軸部分（軸状部挿通部分）の金型を取り外す際、当該金型を軸方向に引く抜く場合に第二周状凸部による抵抗が小さくなる。また、スタビライザブッシュに切り割りが設けられている場合、切り割りを開いて当該金型を取り外す際も、第二周状凸部による抵抗は小さくなる。
【００３６】
なお、本発明において、定義した平面のうち、第一軸状凸部または補強板の周方向端部を通る平面とは、その周方向端部の一部を通る平面も含む意味である。つまり、当該周方向端部は、径方向に平行な面でなくてもよい。例えば、周方向端部の形状が、径方向に平行な端面でない場合、定義される平面は、当該端面と直線で交わることになり、これも含まれる。
【発明の効果】
【００３７】
本発明のスタビライザブッシュによれば、部品点数および製造コストを増大させることなく、車両の操縦安定性の維持と異音の発生の抑制とを両立させることができる。
【発明を実施するための最良の形態】
【００３８】
次に、実施形態を挙げ、本発明をより詳しく説明する。
【００３９】
＜第一実施形態＞
第一実施形態のスタビライザブッシュ１の概要について、図１および図２を参照して説明する。図１は、スタビライザブッシュ１を車両ボディ５に組付けた状態を軸方向（車両左右側）から見た図である。図２は、車両に搭載されたスタビライザバー２を車両上方から見た図である。
【００４０】
図１に示すように、スタビライザブッシュ１は、筒状のゴム弾性体からなる。このスタビライザブッシュ１のゴム弾性体のゴム材料としては、摺動性の良好な自己潤滑ゴム等が好適に用いられる。スタビライザブッシュ１には、その内周面から側部外周面に至る切り割り１ａが設けられている。そして、この切り割り１ａを開いてその内部にスタビライザバー２を挿通して組付ける。
【００４１】
ここで、スタビライザバー２は、図２に示すように、鋼材からなり、車両上方から見た場合に車両後方側に開口するコの字型であって、外径が同径の丸棒からなる。すなわち、スタビライザバー２は、軸状部２１と、軸状部２１の両端に一体的に屈曲形成された連結部２２、２３とから構成される。この連結部２２、２３は、軸状部２１の両端からそれぞれ車両後方に延伸している。さらに、連結部２２、２３の端部が、それぞれ左右の車輪を支持するサスペンションアーム（図示せず）に連結される。そして、スタビライザブッシュ１は、スタビライザバー２の軸状部２１の両端のそれぞれに配置される。なお、図１に示すスタビライザバー２の捩れ軸Ｏは、図２に示す軸状部２１の中心軸に対応する。
【００４２】
そして、図１に示すように、スタビライザブッシュ１は、略Ｕ字形のブラケット３で保持され、ブラケット３の両端部は、車両ボディ５の取付け面にボルト４で固定されている。つまり、スタビライザブッシュ１は、ブラケット３で圧縮されて車両ボディ５に組み付けられている。ここでは、車両ボディ５の取付け位置の形状は、スタビライザブッシュ１の外周面に対応する形状となっている。
【００４３】
次に、スタビライザブッシュ１の具体的な構成について、図３〜図５を参照して説明する。図３は、スタビライザブッシュ１単体の軸方向に切断した断面図である。具体的には、図３（ａ）は、スタビライザブッシュ１を車両上下方向に切断した断面図であり、図３（ｂ）は、スタビライザブッシュ１を車両前後方向に切断した断面図である。なお、図３（ａ）（ｂ）には、スタビライザブッシュ１に挿入する前のスタビライザバー２を示している。図４は、スタビライザブッシュ１にスタビライザバー２を組み付けた状態の軸方向に切断した断面図である。具体的には、図４（ａ）は、図１のＡ−Ａ断面図であり、図４（ｂ）は、図１のＢ−Ｂ断面図である。図５は、図３（ａ）のＣ−Ｃ断面図である。なお、以下、軸方向に切断した断面を軸方向断面と称する。
【００４４】
図３（ａ）（ｂ）に示すように、スタビライザブッシュ１は、筒状本体部１１と、一対の第一軸状凸部１２１、１２２と、第一周状凸部１３と、一対の第二周状凸部１４１、１４２とを備えている。
【００４５】
筒状本体部１１は、筒状のゴム弾性体からなる。この筒状本体部１１は、図３（ａ）（ｂ）に示すように、内径（Ｒ１）がスタビライザバー２の外径（Ｒ２）より大きく形成されている。そして、図４（ａ）（ｂ）および図５に示すように、筒状本体部１１は、スタビライザバー２を挿通し、且つ、ブラケット３により外周面を押圧されて車両ボディ５に固定されている。
【００４６】
第一軸状凸部１２１、１２２は、筒状本体部１１に一体成形されるゴム弾性体からなっている。図３（ａ）（ｂ）に示すように、一方の第一軸状凸部１２１は、筒状本体部１１の内周面のうち車両上端から径方向内方へ向かって突出し、筒状本体部１１の軸方向に延在するように形成されている。他方の第一軸状凸部１２２は、筒状本体部１１の内周面のうち車両下端から径方向内方へ向かって突出し、筒状本体部１１の軸方向に延在するように形成されている。ここでは、車両上側の第一軸状凸部１２１と車両下側の第一軸状凸部１２２とは、同形状となっている。
【００４７】
第一軸状凸部１２１、１２２の径方向の長さは、筒状本体部１１の内径半径からスタビライザバー２の外径半径を引いた（減算）値よりも、僅かに大きくなっている。つまり、第一軸状凸部１２１、１２２の径方向の長さは、（Ｒ１−Ｒ２）／２よりも僅かに大きい（図３（ａ）参照）。そして、図４（ａ）および図５に示すように、第一軸状凸部１２１、１２２は、径方向内方端面がスタビライザバー２の外周面に当接してスタビライザバー２を保持している。なお、径方向とは、筒状本体部１１の径方向を意味する。
【００４８】
ここで、図５に示すように、スタビライザバー２の捩れ軸Ｏ（軸状部２１の中心軸）を通り車両上下方向および捩れ軸方向（捩れ軸Ｏが延びる方向）に平行な平面を第一平面Ｆ１と定義する。また、車両上側の第一軸状凸部１２１の周方向端部とスタビライザバー２の捩れ軸Ｏとを通る平面を第二平面Ｆ２と定義する。そして、第一実施形態においては、第一平面Ｆ１と第二平面Ｆ２とのなす鋭角θ１が１５度に設定されている。
【００４９】
また、車両下側の第一軸状凸部１２２の周方向端部とスタビライザバー２の捩れ軸Ｏとを通る平面を第四平面Ｆ４と定義する。ここで、第一平面Ｆ１と第四平面Ｆ４とのなす鋭角θ１は、車両上側同様、１５度に設定されている。第一実施形態では、第二平面Ｆ２と第四平面Ｆ４とは同一平面となる。なお、第一軸状凸部１２１、１２２の周方向端部は、径方向にほぼ平行な端面となっており、第二平面Ｆ２および第四平面Ｆ４は、当該端面を通る平面となる。
【００５０】
この第一平面Ｆ１と第二平面Ｆ２（第四平面Ｆ４）とのなす鋭角θ１は、予め設定された車両の最大ロール角に設定されている。つまり、第一実施形態において、最大ロール角は１５度である。なお、ロール角とは、一般に、車両が旋回したときに車両ボディ５が傾く角度である。このロール角の詳細については、後述する。
【００５１】
第一周状凸部１３は、筒状本体部１１に一体成形されるゴム弾性体からなっている。図３（ａ）（ｂ）に示すように、第一周状凸部１３は、筒状本体部１１の内周面の軸方向中央において周方向全周に亘って径方向内方へ向かって突出している。つまり、第一周状凸部１３は、筒状本体部１１の内周面のうち、開口端（図３（ａ）、（ｂ）の左右の端部）より軸方向中央側に位置している。
【００５２】
この第一周状凸部１３は、径方向断面が円形であり、図３（ｂ）に示すように、その内径（Ｒ３）がスタビライザバー２の外径（Ｒ２）と同一か当該外径（Ｒ２）より僅かに小さくなるように形成されている。つまり、第一周状凸部１３は、図４（ａ）（ｂ）に示すように、内周面の全周に亘ってスタビライザバー２の外周面に当接している。なお、第一実施形態では、第一軸状凸部１２１、１２２の径方向の長さは、（Ｒ１−Ｒ３）／２に等しくなっている。すなわち、第一軸状凸部１２１、１２２と第一周状凸部１３とは、径方向内方への突出長さが等しくなっている。
【００５３】
第二周状凸部１４１、１４２は、筒状本体部１１に一体成形されるゴム弾性体からなっている。図３（ａ）（ｂ）に示すように、一方の第二周状凸部１４１は、筒状本体部１１の内周面のうち車両左側の開口端において、周方向全周に亘って径方向内方へ向かって突出している。また、他方の第二周状凸部１４１は、筒状本体部１１の内周面のうち車両右側の開口端において、周方向全周に亘って径方向内方へ向かって突出している。そして、第二周状凸部１４１、１４２は、径方向断面が円形であり、その内径（Ｒ４）がスタビライザバー２の外径（Ｒ２）より僅かに小さくなるように形成されている。さらに、その内径（Ｒ４）は、第一周状凸部１３の内径（Ｒ３）よりも僅かに小さくなっている。つまり、図４（ａ）（ｂ）に示すように、第二周状凸部１４１、１４２は、スタビライザブッシュ１の軸方向両端において、内周面の全周に亘ってスタビライザバー２の外周面を押圧し、第一周状凸部１３よりも強固にスタビライザバー２を保持している。
【００５４】
なお、第一実施形態において、筒状本体部１１、第一軸状凸部１２１、１２２、第一周状凸部１３、および、第二周状凸部１４１、１４２は、すべて同一のゴム弾性体からなり、一体的に形成されている。
【００５５】
次に、ロール角について図６を参照して説明する。図６は、図２のスタビライザバー２を車両左側から見た図である。
【００５６】
そして、スタビライザバー２が車両に図２のように搭載されている場合、車両旋回時に発生するロール角は、図６に示す角度Ｘに相当する。すなわち、当該例示におけるロール角Ｘは、スタビライザバー２の軸状部２１の中心軸（捩れ軸Ｏ）を通り車両前後方向に平行（車両ボディ５に水平）な平面と、連結部２２とのなす鋭角を意味する。なお、このなす鋭角は、スタビライザバー２の軸状部２１の中心軸（捩れ軸Ｏ）を通り車両前後方向に平行な平面と、連結部２３とのなす鋭角と同一である。
【００５７】
図６の場合、車両が右に旋回する際に、サスペンションに連動して、車両左側の連結部２２が車両上方に、車両右側の連結部２３が車両下方にねじられる。このとき、図６の矢印で示すように、スタビライザバー２の左端が受ける力の方向は、車両上下方向から角度Ｘずれた方向（捩れ軸Ｏを中心とした円の接線方向）となる。つまり、車両がロール角をとったとき、スタビライザバー２の軸状部２１の一端は車両上下方向からロール角分ずれた方向に力を受けることになる。
【００５８】
ここで、スタビライザブッシュ１の作用効果について説明する。車両ボディ５に固定されたスタビライザブッシュ１（図１参照）において、スタビライザバー２に当接してスタビライザバー２を保持しているのは、第一軸状凸部１２１、１２２、第一周状凸部１３、および、第二周状凸部１４１、１４２である。筒状本体部１１の内周面は、スタビライザバー２に当接していない。つまり、スタビライザブッシュ１の内周面の一部分が、スタビライザバー２の外周面に当接している。換言すると、スタビライザブッシュ１の内周面では、周状凸部を除いて車両前後方向が凹部となっている。
【００５９】
従って、スタビライザブッシュ１の内周面とスタビライザバー２の外周面との接触面積は、小さくなっている。当該接触面積が小さいことにより、摺動抵抗は低減し、スタビライザバー２の摺動性は向上する。これにより、スタビライザバーの捩りによる異音の発生を抑えることができる。
【００６０】
また、図５に示すように、スタビライザブッシュ１の内部には、車両上下方向にそれぞれ第一軸状凸部１２１、１２２が形成されている。スタビライザバー２は、第一軸状凸部１２１、１２２により、車両上下方向から保持されている。つまり、スタビライザブッシュ１は、車両上下方向に高いばね定数を有し、スタビライザバー２のロールによる車両上下方向の力に対して、反力（アンチロール力）を有している。
【００６１】
特に、スタビライザブッシュ１では、第一軸状凸部１２１、１２２が最大ロール角に相当する角度範囲に形成されている。これにより、車両旋回時において、スタビライザブッシュ１が車両上下方向からロール角分ずれた方向に力を受けても、第一軸状凸部１２１、１２２により高いばね定数を維持することができる。すなわち、ロール時に、アンチロール力を確実に発生させることができる。これにより、車両の操縦安定性は維持される。
【００６２】
また、スタビライザブッシュ１は、ブラケット３により圧縮されて固定されている。さらに、第一軸状凸部１２１、１２２の径方向の長さは、筒状本体部１１の内径からスタビライザバー２の外径を引いた（減算）値よりも、僅かに大きくなっている。つまり、第一軸状凸部１２１、１２２は、車両上下方向において、スタビライザバー２を押圧して保持している。従って、車両上下方向においては、ロールに対するより大きなアンチロール力を得ている。
【００６３】
さらに、図４（ｂ）および図５に示すように、スタビライザブッシュ１の内部では、スタビライザバー２との間に、車両前後方向に一部空間ができる。つまり、車両前後方向のばね定数が低減され、スタビライザバー２の捩りによる車両前後方向への動きが許容される。これにより、スタビライザバー２がスタビライザブッシュ１の内周面を滑る前に当該動きが許容される。従って、当該滑り自体も抑制することができる。
【００６４】
また、第一周状凸部１３および第二周状凸部１４１、１４２により、スタビライザバー２は、スタビライザブッシュ１内部において確実に位置決めされている。さらに、第一周状凸部１３および第二周状凸部１４１、１４２により、スタビライザブッシュ１は、車両上下方向以外においても、ある程度のばね定数を持つことができる。第一周状凸部１３にあっては、複数設けることで、スタビライザブッシュ２全体のばね定数を調整できる。すなわち、スタビライザバー２の保持安定性は向上する。
【００６５】
さらに、第二周状凸部１４１、１４２は、スタビライザブッシュ２の両側の開口端において、スタビライザバー２との間に隙間なく（全周）当接している。これにより、筒状本体部の内側に砂やごみ等が侵入することは、抑制される。第二周状凸部１４１、１４２は、スタビライザブッシュ１のシール性を確保する機能も担っている。
【００６６】
なお、第一軸状凸部１２１、１２２において、第一平面Ｆ１と第二平面Ｆ２（第四平面Ｆ４）のなす鋭角θ１を１５度としたが、この限りではない。第一平面Ｆ１と第二平面Ｆ２（第四平面Ｆ４）とのなす鋭角θ１は、車両毎の最大ロール角に応じて適宜調整することが好ましい。また、第一周状凸部１３は、筒状本体部１１の内周面に複数形成されていてもよく、この場合、スタビライザバー２の位置決めはより安定する。
【００６７】
＜第一実施形態の変形態様＞
上述した第一実施形態のスタビライザブッシュ１の変形態様について図７を参照して説明する。当該変形態様においては、上述した第二周状凸部１４１、１４２を、第二周状凸部１４３、１４４に変更している。図７は、第二周状凸部１４１、１４２を第二周状凸部１４３、１４４に変更したスタビライザブッシュ１単体の軸方向断面図である。
【００６８】
この第二周状凸部１４３、１４４は、図７に示すように、筒状本体部１１に一体成形される径方向断面が円形のゴム弾性体からなる。この第二周状凸部１４３、１４４は、第一実施形態の第二周状凸部１４１、１４２と同様に、筒状本体部１１の内周面のうち車両両側の開口端において、周方向全周に亘って径方向内方へ向かって突出している。
【００６９】
この第二周状凸部１４３、１４４は、その内径が、筒状本体部１１の軸方向外方に向かって徐々に縮径するように形成されている。つまり、第二周状凸部１４３の内径は車両左側に向かって徐々に縮径し、第二周状凸部１４４の内径は車両右側に向かって徐々に縮径している。
【００７０】
さらに具体的には、第二周状凸部１４３、１４４の軸方向内方端の内径は、Ｒ３（第一周状凸部１３の内径）に等しく、第二周状凸部１４３、１４４の軸方向外方端の内径Ｒ５は、Ｒ４（第二周状凸部１４１、１４２の内径）より僅かに小さくなっている。そして、第二周状凸部１４３、１４４の内径は、軸方向外方に向かって、Ｒ３からＲ５へと緩やかに小さくなっている。
【００７１】
これにより、スタビライザブッシュ１の製造する際に、金型の取り外しがよりスムーズになる。つまり、スタビライザブッシュ１における軸状部２１挿通部分の金型を切り割り１ａを開いて当該金型を取り外す際、第二周状凸部１４３、１４４による抵抗は小さくなる。
【００７２】
＜第二実施形態＞
第二実施形態のスタビライザブッシュ１０について、図８および図９を参照して説明する。図８（ａ）は、図１のＡ−Ａ断面に相当するスタビライザブッシュ１０の軸方向断面図である。図８（ｂ）は、図１のＢ−Ｂ断面に相当するスタビライザブッシュ１０の軸方向断面図である。図９は、図８（ａ）におけるＤ−Ｄ断面図である。
【００７３】
ここで、第二実施形態のスタビライザブッシュ１０は、第一実施形態のスタビライザブッシュ１に一対の補強板６１、６２を加えたものである。そこで、第一実施形態と同一構成部分においては、同一符号を付して説明を省略する。
【００７４】
第二実施形態のスタビライザブッシュ１０は、筒状本体部１１と、一対の第一軸状凸部１２１、１２２と、第一周状凸部１３と、一対の第二周状凸部１４１、１４２と、一対の補強板６１、６２とを備えている。
【００７５】
補強板６１、６２は、筒状本体部１１よりも大きいばね定数を有するものであり、それぞれ弧状に湾曲した金属製インサート部材である。図８（ａ）および図９に示すように、補強板６１は、筒状本体部１１の内周面の車両上端と筒状本体部１１の外周面の車両上端とのほぼ中間に配置されている。また、補強板６２は、筒状本体部１１の内周面の車両下端と筒状本体部１１の外周面の車両下端とのほぼ中間に配置されている。つまり、補強板６１、６２は、それぞれ離隔して配置され、筒状本体部１１の軸方向へ延在するように筒状本体部１１の内部にインサート成形されている。
【００７６】
ここで、図９に示すように、車両上側の補強板６１の周方向端部とスタビライザバー２の捩れ軸Ｏ（軸状部２１の中心軸）とを通る平面を第三平面Ｆ３と定義する。また、車両下側の補強板６２の周方向端部とスタビライザバー２の捩れ軸Ｏとを通る平面を第五平面Ｆ５と定義する。
【００７７】
補強板６１は、具体的に、第一平面Ｆ１と第三平面Ｆ３とのなす鋭角θ２が４５度となるように形成され、筒状本体部１１の内部に配置されている。また、補強板６２は、第一平面Ｆ１と第五平面Ｆ５とのなす鋭角θ２が４５度となるように形成され、筒状本体部１１の内部に配置されている。つまり、第二実施形態において、第三平面Ｆ３と第五平面Ｆ５とは同一平面となる。
【００７８】
定義された各平面の関係について、第三平面Ｆ３と第一平面Ｆ１とのなす鋭角（４５度）は、第二平面Ｆ２と第一平面Ｆ１とのなす鋭角（１５度）以上であり、４５度以下となっている。同様に、第五平面Ｆ５と第一平面Ｆ１とのなす鋭角（４５度）は、第四平面Ｆ４と第一平面Ｆ１とのなす鋭角（１５度）以上であり、４５度以下となっている。図８（ｂ）および図９に示すように、車両前後方向には補強板６１、６２が配置されていない。
【００７９】
以上より、補強板６１、６２の周方向の延在幅は、第一軸状凸部１２１、１２２の周方向の延在幅よりも大きくなっている。従って、第一軸状凸部１２１、１２２とスタビライザバー２との接触面積を増加させることなく、第一軸状凸部１２１、１２２にかかるばね定数を確実に大きくすることができる。また、補強板６１、６２の周方向の延在幅が、第一平面Ｆ１から周方向へ４５度以内に収まっているため、車両前後方向のばね定数に対する車両上下方向のばね定数の比を大きくすることができる。従って、車両上側の補強板６１、６２により、車両前後方向のばね定数を大きくすることなく、車両上下方向のばね定数のみを大きくすることができる。従って、摺動性を損なうことなく、アンチロール力のみを確実に大きくすることができる。
【００８０】
＜第三実施形態＞
第三実施形態のスタビライザブッシュ１００について、図１０および図１１を参照して説明する。図１０（ａ）は、図１のＢ−Ｂ断面に相当するスタビライザブッシュ１００の軸方向断面図である。図１０（ｂ）は、第一軸状凸部１２１、１２２および第二軸状凸部１５１、１５２を除き、補強板６１、６２を含むスタビライザブッシュ１００の軸方向断面図である。具体的に、図１０（ｂ）は、第二平面Ｆ２と第三平面Ｆ３の間の（第一平面Ｆ１から周方向に１５度より大きく４５度以下ずれた）軸方向断面図である。図１１は、第二周状凸部１４１、１４２を除いたスタビライザブッシュ１００の径方向断面図である。
【００８１】
ここで、第三実施形態のスタビライザブッシュ１００は、第二実施形態のスタビライザブッシュ１０から第一周状凸部１３を除き、第二軸状凸部１５１、１５２を加えたものである。そこで、第二実施形態と同一構成部分においては、同一符号を付して説明を省略する。
【００８２】
第三実施形態のスタビライザブッシュ１００は、筒状本体部１１と、一対の第一軸状凸部１２１、１２２と、一対の第二周状凸部１４１、１４２と、一対の補強板６１、６２と、第二軸状凸部１５１、１５２とを備えている。
【００８３】
第二軸状凸部１５１、１５２は、筒状本体部１１に一体成形されるゴム弾性体からなる。形状については、第一軸状凸部１２１、１２２とほぼ同様である。図１１に示すように、筒状本体部１１の内周面のうち車両前後方向に相当する位置から、径方向内方へ向かって突出している。つまり、第二軸状凸部１５１、１５２は、第一軸状凸部１２１、１２２に対して周方向にずれた位置にあり、第一軸状凸部１２１、１２２の間のそれぞれ（車両前方側と車両後方側）に形成されている。また、図１０（ａ）に示すように、第二軸状凸部１５１、１５２は、筒状本体部１１の軸方向に延在するように形成されている。
【００８４】
図１１に示すように、第二軸状凸部１５１、１５２の周方向の幅は、第一軸状凸部１２１、１２２の周方向の幅よりも小さくなっている。つまり、第二軸状凸部１５１、１５２の周方向の角度範囲は、３０度よりも小さい。第三実施形態では、およそ２０度に設定している。
【００８５】
また、第二軸状凸部１５１、１５２の径方向の長さは、筒状本体部１１の内径半径からスタビライザバー２の外径半径を引いた（減算）値と同一、もしくは当該引いた値より僅かに大きくなっている。つまり、第二軸状凸部１５１、１５２は、径方向内方端面がスタビライザバー２の外周面に当接してスタビライザバー２を保持している。すなわち、スタビライザブッシュ１００の内周面（軸方向両端を除く）では、周方向の４箇所（第一軸状凸部１２１、１２２、第二軸状凸部１５１、１５２）によってスタビライザバー２に当接し、スタビライザバー２を保持している。
【００８６】
また、図１０（ｂ）および図１１に示すように、スタビライザブッシュ１００の内周面には、スタビライザバー２に当接していない空間ができる。すなわち、スタビライザブッシュ１００の内周面では、第二周状凸部１４１、１４２を除いて、車両上下方向からずれたところで凹部となっている。そして、軸方向の両端では、第二周状凸部１４１、１４２によってスタビライザバー２を保持している。
【００８７】
以上より、スタビライザブッシュ１００の内部においても、スタビライザバー２を４箇所で位置決めできる。すなわち、スタビライザバー２の位置決めがより確実となる。さらに、図１０（ｂ）および図１１に示すように、スタビライザブッシュ１００の内周面と、スタビライザバー２との間に一定の空間ができ、摺動性の向上も可能とする。
【図面の簡単な説明】
【００８８】
【図１】スタビライザブッシュ１を車両ボディ５に組付けた状態を軸方向から見た図である。
【図２】車両に搭載されたスタビライザバー２を車両上方から見た図である。
【図３】スタビライザブッシュ１単体の軸方向に切断した断面図である。
【図４】スタビライザブッシュ１にスタビライザバー２を組み付けた状態の軸方向に切断した断面図である。
【図５】図４（ａ）のＣ−Ｃ断面図である。
【図６】図２のスタビライザバー２を車両左側から見た図である。
【図７】第二周状凸部１４１、１４２を第二周状凸部１４３、１４４に変更したスタビライザブッシュ１単体の軸方向断面図である。
【図８】（ａ）は、図１のＡ−Ａ断面に相当するスタビライザブッシュ１０の軸方向断面図である。（ｂ）は、図１のＢ−Ｂ断面に相当するスタビライザブッシュ１０の軸方向断面図である。
【図９】図８（ａ）におけるＤ−Ｄ断面図である。
【図１０】（ａ）は、図１のＢ−Ｂ断面に相当するスタビライザブッシュ１００の軸方向断面図である。（ｂ）は、第一軸状凸部１２１、１２２および第二軸状凸部１５１、１５２を除き、補強板６１、６２を含むスタビライザブッシュ１００の軸方向断面図である。
【図１１】第二周状凸部１４１、１４２を除いたスタビライザブッシュ１００の径方向断面図である。
【符号の説明】
【００８９】
１、１０、１００：スタビライザブッシュ、  
１１：筒状本体部、  １２１、１２２：第一軸状凸部、  １３：第一周状凸部、
１５１、１５２：第二軸状凸部、
１４１、１４２、１４３、１４４：第二周状凸部、
３：ブラケット、  ４：ボルト、  ５：車両ボディ、  ６１、６２：補強板、
Ｆ１：第一平面、  Ｆ２：第二平面、  Ｆ３：第三平面、  Ｆ４：第四平面、
Ｆ５：第五平面、  Ｏ：捩れ軸、
２：スタビライザバー、  ２１：軸状部、  ２２、２３：連結部
【図１】
2008213728.tif 000003
【図２】
2008213728.tif 000004
【図３】
2008213728.tif 000005
【図４】
2008213728.tif 000006
【図５】
2008213728.tif 000007
【図６】
2008213728.tif 000008
【図７】
2008213728.tif 000009
【図８】
2008213728.tif 000010
【図９】
2008213728.tif 000011
【図１０】
2008213728.tif 000012
【図１１】
2008213728.tif 000013